(57)【要約】      （修正有）【課題】使い勝手がよく、梯子の横揺れ・横滑りを防止して梯子を安定して固定するための梯子補助具を提供する。【解決手段】梯子補助具１は、梯子１００の支柱である梯子枠１１０Ａ，１１０Ｂに取り付けられる梯子支持部２と、梯子１００の左右方向に幅広に形成され、梯子１００が掛けられる対象物３００の上面３００ａに当接する当接部３とを有する。梯子支持部２は、当接部３から突出するように固定され、当接部３と梯子支持部２とで全体がＴ字状に形成されている。梯子支持部２は、コ字状に形成され、開口から梯子枠１１０Ａ，１１０Ｂを挟み込むように梯子枠１１０Ａ，１１０Ｂが挿入されるスペースを有するとともに、当接部３が対象物３００の上面３００ａに載置される際に梯子枠１１０Ａ，１１０Ｂに沿って梯子１００の上下方向に移動可能である。【選択図】図１
0003219888.tif 000002
【実用新案登録請求の範囲】
【請求項１】
梯子の梯子枠に取り付けられる梯子支持部と、
梯子の左右方向に幅広に形成され、梯子が掛けられる対象物の上面に当接する当接部と、を有し、
前記梯子支持部が前記当接部から突出するように固定され、前記当接部と前記梯子支持部とでＴ字状に形成されており、
前記梯子支持部は、コ字状に形成され、開口から梯子枠を挟み込むように梯子枠が挿入されるスペースを有するとともに、前記当接部が前記上面に載置される際に梯子枠に沿って梯子の上下方向に移動可能であることを特徴とする梯子補助具。
【請求項２】
前記梯子支持部に、前記スペースに挿入された梯子枠が前記開口から抜け出ることを防止する抜け止め部材が設けられることを特徴とする請求項１に記載の梯子補助具。
【請求項３】
前記当接部は、前記上面と当接する当接面に滑り止め部を有することを特徴とする請求項１又は２に記載の梯子補助具。
【請求項４】
前記当接部は、前記当接部と前記上面とを固定する固定手段が挿入される貫通孔を備えることを特徴とする請求項１から３のいずれか１つに記載の梯子補助具。
【考案の詳細な説明】
【技術分野】
【０００１】
本考案は、横揺れ・横滑り防止用の梯子補助具に関する。
【背景技術】
【０００２】
従来から、梯子を安定して使用するために、梯子を掛ける固定物に当該梯子を固定するなどの技術が提案されている（例えば、特許文献１，２）。
【先行技術文献】
【特許文献】
【０００３】
【特許文献１】特開２０１１−３２７６２号公報
【特許文献２】特開平９−１３２９９０号公報
【考案の概要】
【考案が解決しようとする課題】
【０００４】
梯子を使用して作業を行う際、例えば、梯子昇降時に梯子のしなりで梯子が左右に動き、バランスを崩したり、固定物に梯子を掛けてから固定物の上面に乗り移る際に、片足に荷重が掛かり、梯子が横滑りしたりすることがある。
【０００５】
これらは、梯子の横揺れ・横滑りが要因であり、例えば、梯子を掛ける対象が滑りやすい物（例えば、鉄、ビニールで覆われた製品等）であったり、梯子から対象物へ移動する際に体重移動と共に反動で梯子を横に押し蹴ってしまったりすることが、梯子の横揺れ・横滑りが生じる原因であると考えられる。
【０００６】
このような梯子の横揺れ・横滑りを防止するために、特許文献１，２を適用したいところだが、特許文献２では、押圧体が回動自在に設けられる支持体を梯子枠にボルト等で固定しなければならず、高さの異なる対象物に対しての取り付け、使用が困難である課題がある。特許文献１においても同様であり、固着手段を対象物である固定物に固定すると共に、固着手段に対して保持手段を固定しなければならず、高さの異なる対象物に柔軟に対応できず、手間が掛かる。
【０００７】
また、特許文献１では、固着手段を固定物に固定しなければならないため、梯子を左右方向にずらすなどの設置位置変更を容易に行うことができず、利便性に乏しい課題も有している。
【０００８】
そこで、本考案の目的は、使い勝手がよく、梯子の横揺れ・横滑りを防止して梯子を安定して固定するための梯子補助具を提供することにある。
【課題を解決するための手段】
【０００９】
（１）本考案に係る梯子補助具は、梯子の梯子枠（支柱）に取り付けられる梯子支持部と、梯子の左右方向に幅広に形成され、梯子が掛けられる対象物の上面に当接する当接部と、を有する。このとき、梯子支持部が当接部から突出するように固定され、当接部と梯子支持部とでＴ字状に形成されている。そして、梯子支持部は、コ字状に形成されており、開口から梯子枠を挟み込むように梯子枠が挿入されるスペースを有するとともに、当接部が上面に載置される際に梯子枠に沿って梯子の上下方向に移動可能である。
【００１０】
（２）上記（１）において、梯子支持部に、スペースに挿入された梯子枠が開口から抜け出ることを防止する抜け止め部材を設けるように構成することができる。
【００１１】
（３）上記（１）又は（２）において、当接部は、対象物の上面と当接する当接面に滑り止め部を有するように構成することができる。
【００１２】
（４）上記（１）から（３）において、当接部は、当接部と対象物の上面とを固定する固定手段が挿入される貫通孔を備えるように構成することができる。
【考案の効果】
【００１３】
本考案によれば、梯子補助具が梯子の左右の梯子枠（支柱）にそれぞれ取り付けられ状態で梯子桟の間の区間を自由に移動することができる。梯子に梯子補助具を取り付けた状態で当接部を対象物の上面に当接させ、梯子下端を床に置けば、取り付け位置の調整を行う必要がなく、任意の高さに位置する上面を有する対象物に対して横揺れ・横滑りを防止した梯子の設置を容易に行うことができる。
【図面の簡単な説明】
【００１４】
【図１】本考案に係る実施例１の梯子補助具が取り付けられた梯子を設置した状態を示す斜視図である。
【図２】本考案に係る実施例１の梯子補助具が対象物の上面に設置された状態の平面図である。
【図３】本考案に係る実施例１の梯子補助具が対象物の上面に設置された状態の側面図である。
【図４】本考案に係る実施例１の梯子補助具の底面図である。
【図５】本考案に係る実施例１の梯子補助具を梯子に取り付ける際の対象物の上面の高さ確認を説明するための図である。
【図６】本考案に係る実施例１の梯子補助具を梯子に取り付ける態様を説明するための図である。
【図７】本考案に係る実施例１の梯子補助具が取り付けられた梯子を対象物の上面に設置する際の説明図である。
【考案を実施するための形態】
【００１５】
以下、添付図面を参照しながら本考案の実施例について詳細に説明する。
【００１６】
（実施例１）
図１から図７は、本考案に係る実施例１を示す図である。図１は、本実施例の梯子補助具１を取り付けた梯子１００を、対象物３００に設置した状態を示す斜視図である。図２は、梯子補助具１が対象物３００の上面３００ａに設置された状態の平面図である。なお、各図において、Ｘ方向、Ｙ方向及びＺ方向は、互いに直交する方向を示しており、対象物３００の高さ方向をＺ方向として規定している。
【００１７】
対象物３００は、装置や機械、機器などの鉄製の製品、ビニール等の保護シートで覆われた製品、製品を覆う（梱包する）木箱や金属箱などである。対象物の上面３００ａは、梯子が掛かる端部から対象物３００の内側に少なくとも所定の幅を有する平面であり、対象物の上面３００ａ全体が平面である必要はない。例えば、木箱の上框以外は、開口している上端面を有する対象物３００であってもよい。上面３００ａは、梯子１００の梯子補助具１の当接部３が面接触する固定面であり、例えば、木箱の上框の上面、製品等の上端面である。
【００１８】
本実施例の梯子補助具１は、梯子１００の左右の梯子枠（支柱）１１０Ａ，１１０Ｂにそれぞれ取り付けられ、左右一対がセットになって使用される。梯子補助具１は、コ字状に形成された梯子支持部２と、梯子の左右方向（Ｘ方向）に幅広に形成された当接部３とを含んで構成されている。なお、梯子補助具１は、所定の強度を有する材料、例えば、鉄やアルミニウムなどの金属や合金などで構成することができる。
【００１９】
梯子支持部２は、所定の幅を有する板材をコ字状に形成した、Ｙ方向に長尺な部材である。板材の幅に対応した所定の高さを有する閉塞壁部２１、側壁部２２，２３と開口部２５とを有しており、開口部２５から梯子枠１１０Ａ（１１０Ｂ）を挿入することで、梯子支持部２に取り付けられる。側壁部２２，２３で挟まれるスペースの幅は、梯子枠１１０Ａ（１１０Ｂ）のＸ方向の幅よりも大きく形成されている。
【００２０】
開口部２５側には、抜け止め部材４が設けられる。側壁部２２，２３には、ボルト穴がそれぞれ設けられており、抜け止めボルト４ａを側壁部２２，２３間に挿通させることができる。図３は、梯子補助具１が対象物３００の上面３００ａに設置された状態の側面図である。開口部２５を塞ぐように抜け止めボルト４ａをボルト穴に挿通し、ナット４ｂで固定することで、梯子枠１１０Ａ（１１０Ｂ）が、梯子補助具１（梯子支持部２）から抜け出ることを防止することができる。なお、側壁部２２，２３の間には、Ｘ方向に延びる補強部２４が設けられている（図２参照）。
【００２１】
当接部３は、梯子枠１１０Ａに対して左右方向に長尺状に形成された幅広の部材であり、略中央において梯子支持部２の閉塞壁部２１側が溶接等で固定される。左右方向に幅広の当接部３に対してＹ方向に突出するように梯子支持部２が固定され、梯子補助具１は、全体として、図２に示すようにＴ字状の形態を成している。
【００２２】
当接部３は、押さえ受け部３ａと滑り止め部３ｂとで構成されており、図３に示すように、上側の押さえ受け部３ａが、梯子支持部２と固定され、下側の滑り止め部３ｂが、対象物３００の上面３００ａに接触する。
【００２３】
図４は、梯子補助具１の底面図である。滑り止め部３ｂは、例えば、ゴム板やビニルシートを用いることができる。また、塗布するタイプの滑り止め塗料であってもよい。また、滑り止め部３ｂの別態様としては、例えば、押さえ受け部３ａの下面に、溝や突起状の係止部を直接形成したりすることができる。
【００２４】
ここで、Ｘ−Ｙ平面において、梯子支持部２によって形成される梯子枠１１０Ａ（１１０Ｂ）の挿入スペースは、図４に示すように、Ｘ方向において側壁部２２，２３の間の幅を有し、Ｙ方向において当接部３の梯子側端面ｔと抜け止めボルト４ａとの間の幅を有する。そして、挿入スペースのＹ方向の幅は、梯子枠１１０Ａ（１１０Ｂ）のＹ方向の幅よりも大きく形成されている。このため、梯子補助具１（梯子支持部２）は、梯子枠に沿って梯子桟の間で移動が許容されることになる。
【００２５】
このとき、補強部２４は、当接部３の梯子側端面ｔよりも閉塞壁部２１側に位置しているため、挿入スペースは、梯子側端面ｔからＺ方向上方に広がっている。このため、梯子１００が梯子補助具１（梯子支持部２）に対して傾斜している状態であっても、梯子枠に沿った梯子補助具１の移動が許容される。
【００２６】
なお、図１に示すように、当接部３には、載置された際に上面３００ａが露出する貫通孔ｈが形成されている。貫通孔ｈは、例えば、釘穴であり、対象物３００が木箱である場合、釘を打ち込んで、作業内容に応じて梯子補助具１をさらに対象物３００に固定することができる。釘以外の固定手段としては、木ねじであってもよい。
【００２７】
本実施例の梯子補助具１は、作業員が梯子１００を上がり、梯子１００に乗ったままで作業する際、又は梯子１００から対象物３００へ移動して作業する際の横揺れ・横滑りを、当接部３によって抑制する。当接部３は、上面３００ａに載置され、自重で上面３００ａを押圧する。
【００２８】
当接部３は、梯子枠１１０Ａ（１１０Ｂ）に対して左右方向に広がるフランジ状の部材であるため、図２に示すように、水平方向（Ｘ方向）の荷重を面で受け止めることができ、梯子１００の横滑りによる荷重移動や梯子１００のしなりによる曲げ応力に対する荷重移動によって、梯子１００の横揺れ・横滑りを抑制・防止することができる。
【００２９】
図５から図７は、本実施例の梯子補助具１を用いた梯子設置方法を説明する図である。図５に示すように、まず、作業者は、梯子補助具１を取り付ける位置を確認するため、梯子１００を対象物３００に立て掛ける。作業者は、対象物３００の上面３００ａの高さに対応する梯子１００の位置を確認する。図５の例では、二点鎖線で囲んだ上から２番目の梯子桟１２０と３番目の梯子桟１２０の間の領域を、梯子補助具１の取り付け位置として確認することができる。
【００３０】
次に作業者は、確認した取り付け位置において、梯子１００に梯子補助具１を取り付ける。図６は、梯子補助具１を梯子１００に取り付ける態様を説明するための図であり、開口部２５から側壁部２２，２３で梯子枠１１０Ａを挟み込むように挿入する。挿入後、抜け止めボルト４ａを挿入してナット４ｂで締結する。このとき、梯子補助具１は、梯子桟１２０の間の領域において梯子枠１１０Ａ（１１０Ｂ）に沿って移動可能である。梯子枠１１０Ｂについても同様である。
【００３１】
図７は、梯子補助具１が取り付けられた梯子１００を対象物３００の上面３００ａに設置する際の説明図である。図７に示すように、作業者は、梯子補助具１が取り付けられた梯子を対象物３００に運び（（１））、梯子補助具１の当接部３を対象物３００の上面３００ａの上方から当接させ（（２））、梯子１００下端を床面に置く（（３））。
【００３２】
梯子補助具１は、２番目と３番目の梯子桟１２０間でＺ方向に自由に移動することができるので、梯子補助具１は、上面３００ａに当接したまま梯子１００の下方への移動を許容することになる。このため、従来の固定タイプのように、取り付け位置の調整を行う必要がなく、任意の高さに位置する上面３００ａを有する対象物３００に対して横揺れ・横滑りを防止した梯子１００の設置を容易に行うことができる。
【符号の説明】
【００３３】
１  梯子補助具
２  梯子支持部
２１  閉塞壁部
２２，２３  側壁部
２４  補強部
２５  開口部
３  当接部
３ａ  押さえ受け部
３ｂ  滑り止め部
４  抜け止め部材
４ａ  抜け止めボルト
４ｂ  ナット
１００  梯子
１１０Ａ，１１０Ｂ  梯子枠
１２０  梯子桟
３００  対象物
３００ａ  上面（固定面）
【図１】
0003219888.tif 000003
【図２】
0003219888.tif 000004
【図３】
0003219888.tif 000005
【図４】
0003219888.tif 000006
【図５】
0003219888.tif 000007
【図６】
0003219888.tif 000008
【図７】
0003219888.tif 000009